(57)【特許請求の範囲】
【請求項１】
屋外側の遮蔽構造体（５Ａ）と屋内側の遮蔽構造体(５Ｂ)とを備え、これら遮蔽構造体間に断熱空間（６）が形成される二重窓（２）において、
屋外側の遮蔽構造体（５Ａ）と屋内側の遮蔽構造体（５Ｂ）の両方に換気装置（８Ａ,８Ｂ）を設け、これら換気装置の各々は、
（ア）換気通路（１６）を有する装置本体（１０）と、
（イ）この装置本体に可動状態で支持され、その位置に応じて上記換気通路の開口面積を調節する作動板（２０）と、
（ウ）屋外側の気温に応答して作動板を動かし、上記換気通路の開口面積を温度が低いほど小さくなるように自動的に調節する温度感応アクチュエータ（３０）と、
を備え、
上記屋外側の換気装置（８Ａ）と屋内側の換気装置（８Ｂ）では、上記換気通路（１６）の同じ開口面積を得るために上記温度感応アクチュエータ（３０）が要求する温度が異なり、屋外側の換気装置（８Ａ）の温度感応アクチュエータ（３０）が要求する温度に比べて、屋内側の換気装置（８Ｂ）の温度感応アクチュエータ（３０）が要求する温度が高いことを特徴とする二重窓。
【請求項２】
各換気装置（８Ａ，８Ｂ）の温度感応アクチュエータ（３０）は、上記作動板（２０）に連携された移動体（３４）と、この移動体を第１方向に付勢する形状記憶合金製の弾性体（３２）と、この移動体を上記第１方向と逆の第２方向に付勢するバイアス弾性体（３３）とからなることを特徴とする請求項１に記載の二重窓。
【請求項３】
上記屋外側と屋内側の換気装置（８Ａ，８Ｂ）の温度感応アクチュエータ（３０、３０）における形状記憶合金製の弾性体（３２、３２）は、熱処理により互いに異なる温度特性を有することを特徴とする請求項２に記載の二重窓。
【請求項４】
各換気装置（８Ａ,８Ｂ）が水平に延びており、上記装置本体（１０）および作動板（２０）が細長く形成されており、
上記形状記憶合金製の弾性体（３２）およびバイアス弾性体（３３）は、引っ張りコイルスプリングからなり、上記移動体（３４）の両側にそれぞれ配置されるとともに、装置本体（１０）の長手方向に延びており、
上記形状記憶合金製の弾性体（３２）の弾性力は温度が低下するにしたがって減少し、これにより上記温度感応アクチュエータ（３０）は、上記作動板（２０）を、上記開口面積を減じる方向に動かすことを特徴とする請求項２または３に記載の二重窓。
【請求項５】
上記装置本体（１０）は、通気口（１２ｘ）を形成してなる主壁（１２ｃ）を有し、
上記移動体（３４）が移動カム部材からなり、
上記作動板（２０）の一側縁が上記装置本体に回動可能に支持され、上記作動板の他側縁がカムフォロア（２３）を有し、このカムフォロアが上記移動カム部材（３４）に係合されており、
上記移動カム部材が上記装置本体の長手方向に移動するのに伴い、上記作動板が回動して上記主壁に接近または離間することにより、上記換気通路（１６）の開口面積を調節することを特徴とする請求項４に記載の二重窓。
【請求項６】
上記温度感応アクチュエータ（３０）により調節可能な上記換気通路（１６）の開口面積の最小値は、ゼロより大きな所定値であることを特徴とする請求項１〜３のいずれかに記載の二重窓。
【発明の詳細な説明】
【技術分野】
【０００１】
本発明は、換気装置を装備した二重窓に関する。
【背景技術】
【０００２】
本出願人は、下記の特許文献１〜３に開示されているように、形状記憶合金を利用した窓サッシ戸用の換気装置を開発している。この換気装置は、屋内と屋外とを連通させる換気通路を有する装置本体と、この装置本体に可動状態で支持され換気通路を開閉する作動板と、この作動板を外気温度に応じて自動開閉する温度感応型アクチュエータとを備えている。【０００３】
上記アクチュエータは、上記作動板に連携された移動体と、上記作動板が開き位置から閉じ位置に向かうように移動体を付勢するバイアススプリングと、このバイアススプリングとは逆方向に上記移動体を付勢する形状記憶合金製のスプリング（以下、形状記憶スプリングと称する）とを有している。【０００４】
上記形状記憶スプリングは、外気温度が高くなると弾性力が強くなり、上記バイアススプリングに抗して作動子を開き方向に移動させ、これとは反対に外気温度が低くなると弾性力が弱くなり、上記バイアススプリングが作動子を閉じ方向に移動するのを許容する。
【先行技術文献】
【特許文献】
【０００５】
【特許文献１】特開２００４−１７００４０号公報
【特許文献２】特開２００４−２３８９９２号公報
【特許文献３】特開２００４−２３９５４６号公報
【発明の概要】
【発明が解決しようとする課題】
【０００６】
本出願人は、寒冷地で用いられる二重窓に上記自動調節可能な換気装置を用いることを検討している。
二重窓は、屋外側の遮蔽構造体と屋内側の遮蔽構造体を有し、両遮蔽構造体間に断熱空間が形成されている。これら遮蔽構造体の各々は、例えば２枚のスライド可能なサッシ戸により構成されている。【０００７】
上記二重窓に換気装置を用いる場合、屋外側と屋内側の遮蔽構造体の両方に上記換気装置を設ける必要がある。そこで、屋外側の遮蔽構造体と屋内側の遮蔽構造体に同一規格、同一温度特性の換気装置を用いて試験したところ、二重窓の断熱効果が予期しないレベルまで低下してしまった。【０００８】
上記二重窓の断熱効果の低下の原因について調べたところ、次の事実が判明した。すなわち、屋外側の換気装置は屋外の気温に応答して作動するが、屋内側の換気装置は断熱空間の気温に応答して作動する。冬季では、この断熱空間の気温は屋外の気温に比べて高いため、上記屋外側と屋内側の換気装置が同一規格であると（換言すれば両換気装置の温度特性が等しいと）、屋内側の換気装置の換気通路の開口面積が屋外側の換気装置の開口面積より大となってしまい、予期しない断熱効果の低下をもたらしていたのである。
【課題を解決するための手段】
【０００９】
上記課題を解決するため、本発明は、屋外側の遮蔽構造体と屋内側の遮蔽構造体とを備え、これら遮蔽構造体間に断熱空間が形成される二重窓において、
屋外側の遮蔽構造体と屋内側の遮蔽構造体の両方に換気装置を設け、これら換気装置の各々は、
（ア）換気通路を有する装置本体と、
（イ）この装置本体に可動状態で支持され、その位置に応じて上記換気通路の開口面積を調節する作動板と、
（ウ）屋外側の気温に応答して作動板を動かし、上記換気通路の開口面積を温度が低いほど小さくなるように自動的に調節する温度感応アクチュエータと、
を備え、
上記屋外側の換気装置と屋内側の換気装置では、上記換気通路の同じ開口面積を得るために上記温度感応アクチュエータが要求する温度が異なり、屋外側の換気装置の温度感応アクチュエータが要求する温度に比べて、屋内側の換気装置の温度感応アクチュエータが要求する温度が高いことを特徴とする。【００１０】
上記構成によれば、冬季に屋外側の換気装置の開口面積が減じられた状況において、屋外の気温より断熱空間の気温が高くても、屋内側の換気装置の開口面積を屋外側の換気装置の開口面積に近づけることができ、二重窓の断熱性を確保することができる。【００１１】
好ましくは、各換気装置の温度感応アクチュエータは、上記作動板に連携された移動体と、この移動体を第１方向に付勢する形状記憶合金製の弾性体と、この移動体を上記第１方向と逆の第２方向に付勢するバイアス弾性体とからなる。【００１２】
さらに好ましくは、上記屋外側と屋内側の換気装置の温度感応アクチュエータにおける形状記憶合金製の弾性体は、熱処理により互いに異なる温度特性を有する。
これによれば、屋外側と屋内側の換気装置を、形状記憶合金製の弾性体の温度特性を除き同一規格（同一構造）にすることができ、製造コストを低減できる。【００１３】
好ましくは、各換気装置が水平に延びており、上記装置本体および作動板が細長く形成されており、上記形状記憶合金製の弾性体およびバイアス弾性体は、引っ張りコイルスプリングからなり、上記移動体の両側にそれぞれ配置されるとともに、装置本体の長手方向に延びており、上記形状記憶合金製の弾性体の弾性力は温度が低下するにしたがって減少し、これにより上記温度感応アクチュエータは、上記作動板を、上記開口面積を減じる方向に動かす。【００１４】
好ましくは、上記装置本体は、通気口を形成してなる主壁を有し、上記移動体が移動カム部材からなり、上記作動板の一側縁が上記装置本体に回動可能に支持され、作動板の他側縁がカムフォロアを有し、このカムフォロアが上記移動カム部材に係合されており、上記移動カム部材が上記装置本体の長手方向に移動するのに伴い、上記作動板が回動して上記主壁に接近または離間することにより、上記換気通路の開口面積を調節する。【００１５】
好ましくは、上記温度感応アクチュエータにより調節可能な上記換気通路の開口面積の最小値は、ゼロより大きな所定値である。これにより、寒冷時でも最低限の換気を行うことができ、ひいては屋内の空気の汚れを回避することができる。
【発明の効果】
【００１６】
本発明によれば、二重窓の屋外側の遮蔽構造体と屋内側の遮蔽構造体のそれぞれに温度感応型の換気装置を用いても、寒冷時の二重窓の断熱効果を確保することができる。
【図面の簡単な説明】
【００１７】
【図１】図１は、本発明の第１実施形態をなす二重窓を備えた家屋の概略縦断面図である。
【図２】図２は、上記二重窓を屋内側から見た正面図である。
【図３】図３は、上記二重窓の縦断面図であり、一部構成を省略して示す。
【図４Ａ】図４Ａは、上記二重窓の屋内側サッシ戸および屋外側サッシ戸に組み込まれた換気装置の正面図である。
【図４Ｂ】図４Ｂは、同換気装置の作動板の正面図である。
【図５Ａ】図５Ａは、図４Ａ中Ａ−Ａ矢視断面図である。
【図５Ｂ】図５Ｂは、図４Ａ中Ｂ−Ｂ矢視断面図である。
【図６Ａ】図６Ａは、上記換気装置の最大開き状態を示す、主要構成要素の平断面図である。
【図６Ｂ】図６Ｂは、上記換気装置の最小開き状態を示す、主要構成要素の平断面図である。
【図６Ｃ】図６Ｃは、上記換気装置の強制閉じ状態を示す、主要構成要素の平断面図である。
【図７】図７は、屋内側温度感応アクチュエータと屋外側温度感応アクチュエータにおける、温度と作動板の開き角度（換気通路の開口面積）との関係を示すグラフである。
【図８】図８は、本発明の第２実施形態をなす二重窓を備えた家屋の概略縦断面図である。
【図９】図９は、同第２実施形態の二重窓の縦断面図であり、一部構成を省略して示す。
【図１０】図１０は、本発明の第３実施形態をなす二重窓を備えた家屋の概略縦断面図である。
【発明を実施するための形態】
【００１８】
以下、本発明の第１実施形態をなす二重窓について、図１〜図７を参照しながら説明する。図１には家屋１の換気システムが概略的に示されている。家屋１の１つ又は複数の壁１ａには二重窓２が設けられており、他の壁１ｂにはファン３が設けられている。
【００１９】
図２、図３に示すように、二重窓２は、窓枠４に、屋外側の一対のサッシ戸５Ａ，５Ａと、屋内側の一対のサッシ戸５Ｂ，５Ｂを、スライド可能に組み込むことにより構成されている。
【００２０】
上記窓枠４は、図２に示すように、水平をなす上枠部４ａおよび下枠部４ｂと、垂直をなす左右一対の縦枠部４ｃとを有しており、壁１ａの開口に嵌め込まれて固定されている。図３に示すように、上枠部４ａと下枠部４ｂには、それぞれ４つのレール４ｘと５つの障壁４ｙが交互に形成されている。これら枠部４ａ〜４ｃは、樹脂またはアルミ製の押出型材（以下、単に型材と称する）からなる。
【００２１】
上記サッシ戸５Ａ，５Ｂは図２に示すように、水平をなす上框５ａおよび下框５ｂと、垂直をなす左右一対の縦框５ｃとを有しており、これら框５ａ〜５ｃで囲われるようにしてペアガラス５ｄ（透明パネル）が嵌め込まれている。これら框５ａ〜５ｃは樹脂またはアルミ製の押出型材からなる。
【００２２】
図３に示すように、上記サッシ戸５Ａ，５Ｂの上框５ａと下框５ｂには、溝５ｘが形成されており、これら上下の溝５ｘに上記窓枠４の上下のレール４ｘが入り込むことにより、サッシ戸５がスライド可能に支持されている。
【００２３】
屋外側の一対のサッシ戸５Ａ，５Ａは図２に示すように左右に配置されることにより窓枠４で画成された開口を閉じた状態になり、屋外側の閉塞構造体を構成する。同様に屋内側の一対のサッシ戸５Ｂ，５Ｂも閉じ状態で屋内側の閉塞構造体を構成する。これら閉じ状態の屋外側の一対のサッシ戸５Ａ，５Ａと屋内側の一対のサッシ戸５Ｂ，５Ｂとの間には、図１、図３に示すように断熱空間６が形成される。
【００２４】
図１〜図３に示すように、上記屋外側の一対のサッシ戸５Ａ，５Ａの一方には換気装置８Ａが設けられ、上記屋内側の一対のサッシ戸５Ｂ，５Ｂの一方には、換気装置８Ｂが設けられている。
【００２５】
上記ファン３は原則的に常時稼動しており、上記換気装置８Ａ，８Ｂは気温に応じて空気の流通を自動制御する。サッシ戸５Ａ，５Ａが閉じられ、サッシ戸５Ｂ，５Ｂが閉じられ、換気装置８Ａ，８Ｂが空気の流通を許容する状態では、図１に矢印で示すように屋外の新鮮な空気が少量ずつ換気装置８Ａ，８Ｂおよび断熱空間６を通って、家屋１の屋内空間１ｃに供給され、屋内空間１ｃの汚れた空気がファン３に吸引されて屋外に排出される。
【００２６】
図３に示すように、換気装置８Ａ、８Ｂは、それぞれサッシ戸５Ａ、５Ｂの上框５ａとペアガラス５ｄの間に組み込まれ、上框５ａに沿って水平に延びている。
次に、上記換気装置８Ａ，８Ｂについて詳述する。これら換気装置８Ａ，８Ｂは後述する温度特性を除き同一構造、同一規格をなしている。そこで、屋外側の換気装置８Ａについて説明し、屋内側の換気装置８Ｂの説明を省略する。
【００２７】
図４Ａ、図５Ａに示すように、換気装置８Ａは、主たる構成要素として水平に細長く延びる装置本体１０（以下、単に本体と称す）と、同方向に細長く延びる作動板２０と、この作動板２０を屋外側の温度に応じて自動的に回動させる温度感応アクチュエータ３０（以下、単にアクチュエータと称す）とを備えている。
【００２８】
上記本体１０は、３つのアルミ製の型材１１〜１３と樹脂製の断熱用型材１４を組み立て、さらに図４Ａに示すようにこれら型材１１〜１４の両端にキャップ１５を取り付けることにより、構成されている。
【００２９】
上記型材１１，１２の垂直をなす上端部１１ａ，１２ａは、図３に示すサッシ戸５Ａの上框５ａの下部に形成された凹部５ｙに嵌めこまれ、上記型材１１，１２の垂直をなす下端部１１ｂ、１２ｂ間にはペアガラス５ｄが嵌めこまれている。
【００３０】
型材１１〜１３、断熱用型材１４の垂直をなす壁には、それぞれ長手方向に間隔をおいて多数の通気口１１ｘ，１２ｘ，１３ｘ，１４ｘが形成されており、これら通気口１１ｘ〜１４ｘと、型材１１〜１４とキャップ１５により囲われた内部空間とで、換気通路１６が構成されている。
なお、上記通気口１２ｘが形成されている型材１２の垂直壁を、以下主壁１２ｃと称することにする。
【００３１】
本実施形態では、最も屋内側に位置する型材１１に、フィルタ１８を装着したホルダ１９が着脱可能に取り付けられている。このフィルタ１８は上記通気口１１ｘを覆っている。このホルダ１９にも通気口１９ｘが形成されている。
【００３２】
図５Ａ，図５Ｂに示すように、上記作動板２０は換気通路１６内に収容されている。作動板２０の上縁部は断面円形の回動軸部２１を有しており、この回動軸部２１が型材１２の主壁１２ｃの上端部に形成された支持溝１２ｙに収容されている。これにより、作動板２０は回動可能かつスライド可能にして本体１０に支持されている。作動板２０は、回動に伴い型材１２の主壁１２ｃに近づいたり離れたりする。作動板２０の主壁１２ｃに対する傾斜角度は、換気通路１６の開口面積を実質的に決定する。
【００３３】
図４Ｂに最も良く示されているように、作動板１０の一端（屋内側から見て右端）の近傍には、係合穴または係合切欠２２が形成されている。
作動板１０の下縁部の中央から右側に寄った箇所には、移動カム用のカムフォロアとして提供される１つの突起２３が形成されている。
作動板１０の左端近傍には、固定カム用のカムフォロアとして提供される突起２４と、回動規制用の突起２５が形成されている。
【００３４】
上記アクチュエータ３０は、換気通路１６内に収容され、上記屋外側の型材１３の通気口１３ｘの近傍に配置されている。
図６Ａに示すように、上記アクチュエータ３０は、本体１０の長手方向に延びる細長いホルダ３１と、引張コイルスプリングからなる形状記憶合金製のスプリング３２（弾性体）と、引張コイルスプリングからなるバイアススプリング３３（バイアス弾性体）と、移動カム部材３４（移動体）とを備えている。以下、上記形状記憶合金製のスプリング３２を簡略化して形状記憶スプリングと称す。
【００３５】
上記ホルダ３１は、二つの部材を連結することにより構成されており、その中間位置で上記移動カム部材３４を長手方向にスライド可能に支持している。上記形状記憶スプリング３２とバイアススプリング３３は、上記移動カム部材３４の両側に分かれて配置され、ホルダ３１の長手方向に沿って直線状に延びている。本実施形態では形状記憶スプリング３２が左側でバイアススプリング３３が右側に配置されている。これらスプリング３２，３３の一端が移動カム部材３４に連結され、それぞれの他端が上記ホルダ３１の両端またはその近傍に連結されている。
【００３６】
本実施形態では、上記形状記憶スプリング３２は、温度が上昇するにしたがって、引張り弾性力がほぼリニアに増大する特性を有している。
上記ホルダ３１は、本体１０に対して長手方向にスライド可能ではあるが、後述する自動制御モードでは、停止位置に保持されており、移動カム部材３４は屋外側の温度環境に応じて両スプリング３２，３３の弾性力が均衡する位置になるように制御される。
形状記憶スプリング３２の温度特性には若干バラツキがあるが、このバラツキは、例えばバイアススプリング３３のホルダ３１への連結位置を調節することにより補償することができる。その結果、アクチュエータ３０は所定の温度特性を得ることができる。
【００３７】
上記移動カム部材３４の上面には、上記本体１０の主壁１２ｃに対して傾斜したカム溝３４ａが形成されており、このカム溝３４ａに、前述した作動板２０の突起２３が入り込んでいる。
【００３８】
上記屋外側の換気装置８Ａは、図７の実線で示す温度特性を有している。詳述すると、屋外の気温が上限温度（例えば１５°Ｃ）の場合には、形状記憶スプリング３２の弾性力が強いので移動カム部材３４は左寄りに位置し、これにより、図６Ａに示すように作動板２０の突起２３はカム溝３４ａの閉塞端に位置している。その結果、図５Ａ，図５Ｂに実線で示すように作動板２０の主壁１２ｃに対する傾斜角度Θ（開き角度）が最大値Θｍａｘとなり、ひいては換気通路１６の開口面積が最大となる。なお、図６Ａに示すように、上記カム溝３４ａの閉塞端には主壁１２ｃと平行をなす補助溝３４ｂが連なっており、さらに気温が上昇して、移動カム部材３４が左方向に移動しても、作動板２０の傾斜角度は増大しない。
【００３９】
屋外の気温が低下するにしたがって、形状記憶スプリング３２の弾性力が弱まると、移動カム部材３４はバイアススプリング３３により引かれて図６Ｂに示すように、右方向に移動する。これにより、作動板２０の突起２３はカム溝３４ａとのカム作用により主壁１２ｃに近づく。その結果、図５Ａ，図５Ｂに想像線で示すように、作動板２０の主壁１２ｃに対する傾斜角度Θが減少し、換気通路１６の開口面積が減少する。
【００４０】
本実施形態では、屋外の気温が下限温度（例えば５°Ｃ）になると、図６Ｂに示すように作動板２０の突起２５が後述する固定カム部材４５に当たり回動が規制される。したがって、気温が上記下限温度を下回っても、作動板２０の傾斜角度Θは最小値Θｍｉｎを維持される。すなわち、換気通路１６は完全閉じ状態（換気通路１６の開口面積がゼロの状態）にはならない。例えば、最小値Θｍｉｎは最大値Θｍａｘの約１／３である。これにより、自動制御モードでは最小限の空気の流通が確保されている。上記説明から明らかなように、固定カム部材４５は作動板２０に対するストッパ（回動規制手段）としても提供される。
【００４１】
本実施形態では、図６に最も良く示すように、作動板２０を手動により強制的に完全閉じ状態にする強制閉じ手段４０を備えている。この強制閉じ手段４０は、操作つまみ４１と上記固定カム部材４５とを有している。
【００４２】
図４Ａ，図５Ｂに示すように、屋内側の型材１１および断熱用の型材１４の右端近傍には、穴１１ｚ，１４ｚが形成されており、これら穴１１ｚ，１４ｚには枠部材４２が嵌められている。この枠部材４２に、上記操作つまみ４１がスライド可能に支持されている。操作つまみ４１が図６Ａ，図６Ｂに示すように右側に位置している時には自動制御モードになり、図６Ｃに示すように左側に位置している時には強制閉じモードになる。
【００４３】
上記操作つまみ４１は上記作動板２０の係合穴２２に挿入されており、これにより、上記操作つまみ４１が自動制御モードにある時、作動板２０は長手方向の移動を禁じられ、回動のみ可能であり、上述したようにアクチュエータ３０により屋外の気温に応答してその傾斜角度を自動制御される。
【００４４】
図５、図６に示すように、上記アクチュエータ３０のホルダ３１には係止部材３９が固定されている。この係止部材３９は上方に延びる一対の係止爪３９ａを有しており、これら係止爪３９ａで上記操作つまみ４１を挟むようになっている。これにより、操作つまみ４１が自動制御モード位置にある時、ホルダ３１は所定の静止位置を維持される。
【００４５】
上記固定カム部材４５は、移動カム部材３４から本体１０の長手方向に離れて配置され、本体１０の型材１２に固定されている。固定カム部材４５は移動カム部材３４のカム溝３４ａと等しい傾斜のカム面４５ａを有している。
【００４６】
上記操作つまみ４１を左方向に移動させて強制閉じモードにすると、作動板２０が同方向に移動し、図６Ｃに示すように作動板２０の突起２４が固定カム部材４５のカム面４５ａに当たり、このカム面４５ａに案内されて主壁１２ｃに近づく。やがて、作動板２０は主壁１２ｃに近づき、作動板２０の下縁に固定されたパッキン２８が主壁１２ｃに当たり、主壁１２ｃの通気口１２ｘが実質的に閉じられる（すなわち、換気通路１６の開口面積が実質的にゼロになる）。
【００４７】
なお、上記アクチュエータ３０のホルダ３１が係止部材３９を介して操作つまみ４１に係合しているので、アクチュエータ３０も操作つまみ４１に追随して作動板２０と一緒に本体１０の長手方向に移動するようになっている。そのため、操作つまみ４１を強制閉じモード位置まで移動する際に、形状記憶スプリング３２の変形量は抑制され、その長寿命化を図ることができる。
【００４８】
屋内側の換気装置８Ｂは、図７の点線で示すように、屋内側の換気装置８Ａの温度特性を高温側にシフトさせた温度特性を有している。すなわち、同じ作動板２０の傾斜角度を得るために、屋内側の換気装置８Ｂの温度感応アクチュエータ３０が求める温度は、屋外側の換気装置８Ａの温度感応アクチュエータ３０が求める温度より高い。例えば、作動板３０の傾斜角度Θが減少して最小値Θｍｉｎに至る時の温度は、１０°Ｃであり、傾斜角度Θが増大して最大値Θｍａｘに至る時の温度は２０°Ｃである。
【００４９】
上記換気装置８Ａ，８Ｂの温度特性の差は、それぞれの形状記憶スプリング３２を熱処理（形状記憶処理）して温度特性を互いに異ならせることにより得られる。
【００５０】
上記構成において、二重窓２のサッシ戸５Ａ，５Ｂを閉じた状態では、断熱空間６により、高い断熱効果が得られる。前述したように自動制御モードでは、屋外側、屋内側の換気装置８Ａ，８Ｂは空気の流通を許容しており、屋内空間１ｃの換気が常時行われている。
【００５１】
寒冷時に屋外の気温が５°Ｃになると屋外側の換気装置８Ａの換気通路１６の開口面積が最小となる。
屋内側の換気装置８Ｂの温度感応アクチュエータ３０は、屋外側の気温、すなわち断熱空間６の気温に応答して作動するが、この断熱空間６の気温は屋外の気温に比べて高い。そのため、屋内側の換気装置８Ｂの温度感応アクチュエータ３０が屋外側の換気装置８Ａと同じ温度特性を有していると、屋外側の換気装置８Ａより換気通路１６の開口面積が大きくなってしまう。しかし、前述したように屋内側の換気装置８Ｂの温度特性が図７において点線で示すように高温側にシフトしているため、作動板２０の開き角度Θの増大を抑制できる。例えば断熱空間６の気温が屋外の気温に比べて５°Ｃほど高く１０°Ｃであった場合には、図７においてΔΘで示す角度分だけ開きを抑制することができ、換気通路１６の開口面積を屋外側の換気装置８Ａと同様に最小にすることができる。
【００５２】
次に、本発明の他の実施形態について説明する。これら実施形態において第１実施形態に対応する構成部材については同番号を付して詳しい説明を省略する。
図８、図９は本発明の第２実施形態を示す。この実施形態では、屋内側の換気装置８Ｂは第１実施形態と同様にサッシ戸５Ｂの上端部に設けられているが、屋外側の換気装置８Ａ’はサッシ戸５Ａの下端部に設けられている。この屋外側の換気装置８Ａ’は、第１実施形態の換気装置８Ａと上下端の形状が異なり、上端部でペアガラス５ｄを受け入れ、下端部が下框５ｂに嵌め込まれるようになっている。
【００５３】
第２実施形態では寒冷時に、屋外側の換気装置８Ａから断熱空間６の下端に流れ込んだ冷たい空気は断熱空間６で暖められて上昇し、屋内側の換気装置８Ｂに達し、さらに屋内空間１ｃに入り込むようになっている。そのため、熱損失をより一層抑制することができる。
なお、第２実施形態は、本発明の範囲を超えて応用可能な技術であり、例えば温度感応型に限らず手動の換気装置を用いることもできる。
【００５４】
図１０に示す第３実施形態では、第２実施形態と同様に屋外側のサッシ戸５Ａの下端部に換気装置８Ａ’が設けられるとともに、サッシ戸５Ａの上端部に補助換気装置８Ｃが設けられている。この構成では、夏季に、下側の屋外側の換気装置８Ａ’から流入し断熱空間６を上昇する過程で高温になった空気の一部を上側の補助換気装置８Ｃから排出することができる。この場合、補助換気装置８Ｃの温度特性は換気装置８Ａ’より高温側にシフトさせるのが好ましい。より具体的には、屋内側の換気装置８Ｂと同程度かこれより高温側にシフトさせるのが好ましい。
【００５５】
本発明は上記実施形態に制約されず種々の態様が可能である。例えば、形状記憶スプリング，バイアススプリングとして、引張コイルスプリングを用いたが、圧縮コイルスプリングを用いてもよい。
上記実施形態では温度感応アクチュエータとして形状記憶合金製の弾性体を用いたが、バイメタル等を用いてもよい。
【００５６】
強制閉じ手段は省いてもよい。この場合、作動板は自動制御による回動のみ行われ、形状記憶スプリングおよびバイアススプリングのそれぞれの一端は、本体に固定される。
作動板は回動せずに、装置本体の主壁に接し、装置本体の長手方向にスライドすることにより、換気通路の開口面積を調節してもよい。この場合、移動体は作動板の固定位置に連結される。
自動調節モードにおいて、換気通路の開口面積の最小値をゼロにしてもよい。
【００５７】
本発明の換気装置はサッシ戸の上框または下框を兼用するものであってもよい。
屋内側、屋外側の閉塞構造体の一方または両方を、開閉不能に固定された１枚のサッシ戸により構成してもよい。
【産業上の利用可能性】
【００５８】
本発明は、家屋等の二重窓に適用することができる。
【図１】
0005914630.tif 000002
【図２】
0005914630.tif 000003
【図３】
0005914630.tif 000004
【図４Ａ】
0005914630.tif 000005
【図４Ｂ】
0005914630.tif 000006
【図５Ａ】
0005914630.tif 000007
【図５Ｂ】
0005914630.tif 000008
【図６Ａ】
0005914630.tif 000009
【図６Ｂ】
0005914630.tif 000010
【図６Ｃ】
0005914630.tif 000011
【図７】
0005914630.tif 000012
【図８】
0005914630.tif 000013
【図９】
0005914630.tif 000014
【図１０】
0005914630.tif 000015